(57)【特許請求の範囲】
【請求項１】
所定情報を再生する再生部と、
着脱可能な記録媒体を収納する収納部と、
前記外部装置からのＵＳＢ規格信号を受け、これをＡＴＡ規格信号に変換するＵＳＢ−ＡＴＡブリッジと、
前記ＵＳＢ−ＡＴＡブリッジから前記ＡＴＡ規格信号を受けこれを前記収納部に供給する第１スイッチ素子と、前記再生部と前記収納部との間に設けられた第２スイッチ素子と、
前記再生部が前記収納部に収納された前記記録媒体にアクセスする際は、前記第１スイッチ素子をオフし前記第２スイッチ素子をオンしてＰＣＭＣＩＡ規格により行い、外部装置が前記記録媒体にアクセスする際は、ＡＴＡ規格により行うべく制御する制御部と、
を具備することを特徴とする再生装置。
【請求項２】
所定情報を再生する再生部と、
着脱可能な記録媒体を収納する収納部と、
前記再生部が前記収納部に収納された前記記録媒体にアクセスする際は、ＰＣＭＣＩＡ規格により行い、外部装置が前記記録媒体にアクセスする際は、前記外部装置からのＵＳＢ規格信号を変換することで得られるＡＴＡ規格信号を用いたＡＴＡ規格により行うべく制御する制御部と、を具備することを特徴とする再生装置。
【請求項３】
所定情報を再生する再生部と、着脱可能な記録媒体を収納する収納部と、前記外部装置からのＵＳＢ規格信号を受け、これをＡＴＡ規格信号に変換するＵＳＢ−ＡＴＡブリッジと、前記ＵＳＢ−ＡＴＡブリッジから前記ＡＴＡ規格信号を受けこれを前記収納部に供給する第１スイッチ素子と、前記再生部と前記収納部との間に設けられた第２スイッチ素子とを有する再生装置において、
前記再生部が前記収納部に収納された前記記録媒体にアクセスする際は、前記第１スイッチ素子をオフし前記第２スイッチ素子をオンしてＰＣＭＣＩＡ規格により行い、外部装置が前記記録媒体にアクセスする際は、ＡＴＡ規格により行うことを特徴とする再生装置のアクセス方法。
【請求項４】
所定情報を再生する再生部と、着脱可能な記録媒体を収納する収納部とを有する再生装置において、
前記再生部が前記収納部に収納された前記記録媒体にアクセスする際は、ＰＣＭＣＩＡ規格により行い、
外部装置が前記記録媒体にアクセスする際は、前記外部装置からのＵＳＢ規格信号を変換することで得られるＡＴＡ規格信号を用いたＡＴＡ規格により行うことを特徴とする再生装置のアクセス方法。
【発明の詳細な説明】
【０００１】
【発明の属する技術分野】
この発明は、ＰＣカード等の記録媒体を用いる音声情報等を再生する再生装置に関し、特に、外部ＰＣと記録媒体との通信を行う再生装置に関する。
【０００２】
【従来の技術】
最近、デジタル技術の発達に伴い、ＰＣ（Personal Computer）やＰＤＡ（Personal Digital Assistant）といった汎用機又はＭＤ（Mini Disk）やＣＤ−Ｒプレーヤ、ＨＤＤ（Hard Disk Driver）レコーダといった専用機等が広く普及しつつある。
【０００３】
このような中で、音声情報等をデジタルファイルとして本体のメモリ等に格納し、容易に再生することができる再生装置が開発され普及しつつある（例えば、特許文献１）。このような再生装置では、ＰＣからのデジタルファイルは、通信ケーブルを介して、本体のメモリ等に記録され再生することが可能である。しかし、ここでは、外部記憶媒体としてＰＣカード型ＨＤＤは用いられておらず、又、通信速度を高速化させるためにインタフェースを切り換えるという処理も行われてはいない。
ここで、この記録媒体は、例えば、ＰＣカード型ＨＤＤを用いたり、ＰＣと再生装置とをケーブルで接続し、再生装置に記録媒体であるＰＣカード型ＨＤＤを装着したままで、ケーブルを経由しながら再生装置から記録媒体に記録することも考えられる。この場合は、記録媒体をＰＣから再生装置へと差し替えるという必要がなくなるため、容易に記録を行うことができる。
【０００４】
しかし、ＰＣから再生装置の間の通信は、ＵＳＢ（Universal Serial Bus）ケーブルで行った場合、このＵＳＢケーブルから受けた音声ファイル等を再生装置の制御部による制御の下で、ＰＣＭＣＩＡインタフェースを介して、再生装置に接続された記録媒体へ行われる通信は、例えば、０．５Ｍバイト／ｓ等、通信速度が非常に遅い。従って、例えば、ＩＥＥＥ１３９４通信規格の速度と同等の速度をもつＵＳＢ２．０によりＰＣと再生装置との間を接続して、例えば、８Ｍバイト／ｓの速度で通信をしたとしても、再生装置側のＰＣＭＣＩＡ通信規格の通信速度が非常に遅いため、結果としてＰＣから再生装置に装着されたＰＣカード型ＨＤＤへの記録速度が遅くなるという問題がある。
【０００５】
【特許文献１】
特開２０００−３３３２８５号公報（第３−４頁、図１）。
【０００６】
【発明が解決しようとする課題】
すなわち、従来の再生装置においては、外部のＰＣ等から音声ファイル等を、再生装置に装着した記録媒体に記録する際に、外部のＰＣと再生装置の間の通信速度は早いとしても、再生装置と記録媒体との間がＰＣＭＣＩＡ通信規格によるものなので、通信速度が十分得られず、従って記録速度が遅くなるという問題がある。
【０００７】
本発明は、上記問題に鑑み、着脱可能な記録媒体を装着する再生装置において、再生装置を経由して外部のＰＣ等と記録媒体の間の通信をする際に、ＡＴＡ通信規格による通信を行うことにより、記録速度を向上させた再生装置を提供することを目的とする。
【０００８】
【課題を解決するための手段】
本発明は、所定情報を再生する再生部と、着脱可能な記録媒体を収納する収納部と、前記外部装置からのＵＳＢ規格信号を受け、これをＡＴＡ規格信号に変換するＵＳＢ−ＡＴＡブリッジと、前記ＵＳＢ−ＡＴＡブリッジから前記ＡＴＡ規格信号を受けこれを前記収納部に供給する第１スイッチ素子と、前記再生部と前記収納部との間に設けられた第２スイッチ素子と、前記再生部が前記収納部に収納された前記記録媒体にアクセスする際は、前記第１スイッチ素子をオフし前記第２スイッチ素子をオンしてＰＣＭＣＩＡ規格により行い、外部装置が前記記録媒体にアクセスする際は、ＡＴＡ規格により行うべく制御する制御部とを具備することを特徴とする再生装置である。
本発明は上記構造により、再生装置に装着されたＰＣカード型ＨＤＤに記録された音声ファイル等を再生する時は、ＰＣＭＣＩＡ規格で、再生機能を含んだ制御部とＰＣカード型ＨＤＤとを通信する。その一方で、外部のＰＣ等から、例えば、ＵＳＢ２．０等で音声ファイル等を再生装置本体に供給されて、再生装置に装着されたＰＣカード型ＨＤＤに音声ファイル等を記録する際は、ＰＣＭＣＩＡ規格ではなくＡＴＡ規格で行うことにより、例えば、８Ｍバイト／ｓ等の通信速度を得ることができる。
【０００９】
このとき、ＰＣからの信号は、再生装置の制御部のＣＰＵにより通信制御されるのではなく、例えば、ＵＳＢ端子からの信号が、ＵＳＢ−ＡＴＡブリッジを介してスイッチ素子によりオンオフ制御され、ＰＣＭＣＩＡスロットを介して、ＰＣカード型ＨＤＤに供給されるものである。これにより、ＰＣとＰＣカード型ＨＤＤとは、ＵＳＢ通信規格及びＡＴＡ通信規格による通信処理を行うことが可能となり、例えば、約８Ｍバイト／ｓ等の通信速度を可能とするものであり、例えば、ＰＣＭＣＩＡ通信規格による、０．５Ｍバイト／ｓの場合と比較すると、約１６倍の速度の向上が望まれるものである。
【００１０】
【発明の実施の形態】
以下、図面を参照して、本発明に係る再生装置を詳細に説明する。図１は、本発明に係る再生装置の一実施の形態を示すブロック図、図２は、再生装置の一実施の形態の概観を示す概観図である。
【００１１】
＜本発明に係る再生装置＞
本発明に係る再生装置は、再生モード時に、ＰＣカード型ＨＤＤ等のモバイルディスク４に格納されている音声ファイル等を読み出すべくアクセスする際は、ＰＣＭＣＩＡ通信規格にてアクセスをし、記録モード時に、外部のパーソナルコンピュータ２等から音声ファイル等をＰＣカード型ＨＤＤ等のモバイルディスク４に記録するべく、ＰＣ２からＵＳＢケーブル等を介してＵＳＢ２．０等でモバイルディスク４にアクセスする際は、ＡＴＡ通信規格にてアクセスすることにより、ＵＳＢ２．０の速度を損なうことなく、高速度でＰＣ２等から音声ファイル等を記録させることができるものである。
【００１２】
（構成）
本発明に係る再生装置６において、図１に示すように、制御部であるＣＰＵ３０はオーディオデータのデコード、ファイルシステム管理、ユーザインタフェース制御などを行う。又、ＣＰＵ３０のクロックとして、３２.７６８ｋＨｚ振動子３５、３.６８６４ＭＨｚ振動子３６、４８ＭＨｚ発振器３７を実装する。４８ＭＨｚ発振器３７は、ＣＰＵ３０がラン（ＲＵＮ）モード時、又は、アイドル（ＩＤＬＥ）モード時に発振する。又、各機能等を有するファームウェアは、プログラムとしてＮＯＲ型フラッシュメモリ（ＦＲＯＭ）３８に格納される。このプログラムは、ＳＤＲＡＭ４０上に展開されて実行される。ＳＤＲＡＭ４０はオーディオデータのバッファとしても使用される。ＳＤＲＡＭ４０としてはスタンバイ時の消費電力を低減するため、セルフリフレッシュ電流の少ない低消費電力品を使用することが好ましい。
【００１３】
モバイルディスク４とのＩ／Ｆとして、収納部であるＰＣＭＣＩＡタイプＩＩのスロット４８が１個実装される。ＰＣＭＣＩＡスロット４８の出力端部は、制御部３０によりオン／オフが制御されるスイッチ素子ＳＷ２を介して、後述するＰＣＭＣＩＡコントローラ５４に接続されている。なお、このスイッチ素子ＳＷ２は、ＰＣＭＣＩＡコントローラ５４に内蔵されるスイッチ機能として設けられてもよい。
【００１４】
上述したようにカード挿入部（スロット）には蓋が設けられ、開閉状態を検出するスイッチ５０からの検出信号がＣＰＵ３０のＧＰＩＯ５２に接続される。このＧＰＩＯ５２は割り込みとして設定できる。
【００１５】
モバイルディスク４の動作電圧は、一例として、３．３Ｖのみとする。モバイルディスク４への電源をＣＰＵ３０でオン／オフ制御することが可能である。モバイルディスク４のみを動作保証とする。ただし、他のカードを接続しても本体及びカードに損傷を与えることはない。
【００１６】
更に、ＵＳＢ端子（ＵＳＢ２．０）４９が設けられ、この出力がＵＳＢ５Ｖ検出部に接続され、又、ＵＳＢ−ＡＴＡブリッジ５５に接続される。ＵＳＢ−ＡＴＡブリッジ５５の出力は、スイッチ素子ＳＷ１の一端に接続され、その他端がＰＣＭＣＩＡスロット４８に接続されている。このスイッチ素子ＳＷ１のオン／オフは、制御部３０により制御されている。なお、このスイッチ素子ＳＷ１は、ＵＳＢ−ＡＴＡブリッジ５５に内蔵されるスイッチ機能として設けられてもよい。
【００１７】
ＰＣＭＣＩＡコントローラ５４内部の電源スイッチの電流容量ではモバイルディスク４を駆動できないため、コントローラ５４の外部にモバイルディスク４への電源制御回路５６を設ける。この電源制御はコントローラ５４のレジスタ設定で行う。
【００１８】
又、オーディオ出力部においては、再生音質のバス（Bass）とトレブル（Treble）のイコライザ（ＥＱ）機能及び音量コントロール機能付きのＤＡＣ＋ヘッドホンアンプ５８を使用する。イコライザはブースト（Boost）のみでマイナス方向のイコライザはない。
【００１９】
ＣＰＵ３０から出力されるオーディオのデジタルデータは、ＣＰＵ３０のシリアルポート６０を介して、ＤＡＣ５８のデジタルデータ入力ピンに供給される。又、電源オン／オフ時に発生するポップノイズを防止するため、ＤＡＣ５８外部にミュート回路６４が設けられる。
【００２０】
液晶表示画面１２の制御には、ＣＰＵ３０内蔵のＬＣＤ（Liquid Crystal Display）コントローラは使用せず、液晶表示画面１２にＲＡＭ内蔵ＬＣＤドライバ６６を持ち、それをＣＰＵ３０のデータバスに接続する。バックライトとして、青色ＬＥＤバックライト（３灯）６８がＣＰＵ３０のＧＰＩＯ５２に接続される。
【００２１】
ホールドスイッチ２４もＣＰＵ３０のＧＰＩＯ５２へ接続される。十字キー１４、エンターキー１６、モード切換えキー１８、２０等のプッシュスイッチは、キーマトリクス方式のスイッチ７０である。カラム信号はＣＰＵ３０のキーボードインターフェース６９に接続され、ロウ信号はＧＰＩＯ５２に接続される。
【００２２】
ヘッドホン端子３１は４ピンのものを使用し、一つのピンをリモコン端子７４とし、リモコンからのリモコン信号はリモコン及び電池電圧監視用ＡＤＣ７６に接続する。リモコンに使用する電源（プルアップ電源）はＣＰＵ３０でオン／オフ制御する。消費電流を減らすために動作オフ時（ＣＰＵ３０スタンバイ時）はプルアップ電源オフに設定する。
【００２３】
電池の電圧低下を電圧検出ＩＣ７８で検出し、ＣＰＵ３０へ割り込みで通知する。充電制御は、充電ＩＣを用いて行う。ハードウェアによって充電動作のオン／オフを制御する。ＡＣアダプタ接続時には、充電オンにする。充電状態はＬＥＤ８０で示す。ＬＥＤ８０は、例えば、オレンジ／緑の２色ＬＥＤを使用する。ＬＥＤは充電ＩＣが制御しＣＰＵ３０では制御させないものとする。
【００２４】
更に、本発明に係る再生装置は、図２において、（ａ）は本発明に係る再生装置６の左側面図、（ｂ）は正面図、（ｃ）は右側面図、（ｄ）は上側面図、（ｅ）は下側面図で表される。図２の（ｅ）に示すように、下側面にはストレージデバイス４が挿入されるスロットの挿入口が設けられ、挿入口には蓋１１が設けられる。蓋１１には開閉センサが設けられ、音声再生中に蓋１１が開けられたら再生を即刻中止する。開閉センサとしては、例えば、蓋の内側に突起部が設けられ、筐体内部の該突起部に対応する位置に押圧センサを設けた構成でもよいし、筐体内部に発光／受光素子を設け、蓋１１の内側の対応する位置に反射板を設け、発光素子から発せられた光が閉まっている蓋１１の反射板で反射し受光素子に入射する構成でもよい。図示してはいないが、電池はストレージデバイスの背面側に内蔵される。
【００２５】
図２の（ｂ）に示すように、正面の上部には、例えば、１．８インチのモノクロ液晶（ＳＴＮ液晶）表示画面１２が設けられる。表示画面１２は、例えば、１６０×１２０ドットが考えられ、バックライトは青色ＬＥＤ（３灯）等が好適である。下部には円形の十字キー１４、その中心にエンターキー１６、十字キー１４の両側にモード切換えキーとしてのメニュー（ＭＥＮＵ）キー１８、ナビ（ＮＡＶＩ）キー２０が設けられる。十字キー１４は上下左右の４箇所にキー（ＲＩＧＨＴ，ＬＥＦＴ，ＵＰ，ＤＯＷＮ）のスイッチ位置があり、後述するように各キーは動作モードに応じてその機能が切り替わる。左上部にはストラップホルダ２２が設けられる。
【００２６】
図２の（ａ）に示すように、左側面の下部にはホールド（ＨＯＬＤ）スイッチ２４とオープン（ＯＰＥＮ）スイッチ２６が設けられる。ホールドスイッチ２２は各キーをロックすると共に、下側面のスロット蓋１１もロックする。オープンスイッチ２６は蓋１１を開放するスイッチである。ホールドスイッチ２４がオンされると、オープンスイッチ２６も無効とされる。
【００２７】
又、図２の（ｃ）に示すように、右側面には「＋」と「−」のボリュームキー２８が設けられる。又、図２の（ｄ）に示すように、上側面にはヘッドホン端子３１、ＰＣ２等への接続を行うＵＳＢ端子（ＵＳＢ２．０）４９、ＡＣアダプタが接続される電源端子３４が設けられる。ヘッドホン端子３１には、図５に示すステレオミニヘッドホン（リモコン付き）８が接続される。リモコンにも同様に、６つのキーＮＥＸＴ、ＰＲＥＶ、ＥＱ、ＰＬＡＹ／ＰＡＵＳＥ、ＶＯＬ＋、ＶＯＬ−が設けられる。
【００２８】
又、動作モードとしては、メニューモード、ナビ（ＮＡＶＩ）モード、記録モード、再生（ＰＬＡＹ）モード等がある。再生モードは、音声ファイル等を再生するモードであり、ナビモードは再生する音声ファイル等を選択するためのモードであり、ファイルのディレクトリ構造を表示し特定することができる。記録モードは、後述するパーソナルコンピュータ２からの音声ファイル等を、モバイルディスク４に記録するためのモードである。メニューモードは、音質（イコライザ）の設定、リピート再生の有無、表示言語の選択等の種々の設定を行なうためのモードである。
【００２９】
なお、ナビモード時のカーソルの左右の移動はディレクトリの選択のための移動であり、左移動は一つ上のディレクトリに、右移動は一つ下のディレクトリに移動し、カーソルの上下移動はフォルダやファイルの選択のためのディレクトリ内の移動である。
【００３０】
（インタフェース切換動作の詳細）
次に、本発明に係る再生装置の特徴であるインタフェース切換動作の詳細について以下に述べる。図３は、再生装置と周辺装置との信号経路の一例を概観する説明図、図４は、再生装置と周辺装置との接続を示す説明図、図５は、再生装置のスイッチの動作の一例を示すタイミングチャートである。
【００３１】
初めに、本発明に係る再生装置６は、図４に示すように、周辺機器と接続される。すなわち、本発明に係る再生装置６は、パーソナルコンピュータ２とＵＳＢケーブル９で接続されている。更に、ＩＣカード等のモバイルディスク４が、パーソナルコンピュータ２のカード挿入部（スロット）に装着されるか、再生装置６の収納部であるＰＣＭＣＩＡのカードスロット４８に装着される。更に、ヘッドホン８が再生装置６のヘッドホンジャック３１に接続される。
このような接続に応じて、本発明に係る再生装置は、上述した再生モードと、記録モードとにおいて、図３に示すような接続経路を形成する。すなわち、記録モードにおいて、外部のＰＣ２とＵＳＢケーブル９を経由してＵＳＢ端子４９を介し、ＵＳＢ−ＡＴＡブリッジ５５に音声ファイル等が供給される。ここで、音声ファイル等の信号は、ＡＴＡ信号ａに変換され、スイッチＳＷ１を介して、モバイルディスク４に供給される。ここで、ＵＳＢ２．０による音声ファイル等の信号は、ＰＣＭＣＩＡ規格のＰＣカード信号ｂではなく、ＡＴＡ規格によるＡＴＡ信号ａにより通信が行われることにより、高速なＵＳＢ２．０の通信速度を生かしながら、収納部であるＰＣＭＣＩＡスロット４８を介して、例えば、ＰＣカード型ＨＤＤであるモバイルディスク４へ、音声ファイル等を記録することが可能となる。
この時のスイッチＳＷ１とスイッチＳＷ２との動作状態を図５のタイミングチャートに示しており、一例として、記録モードにおいて、スイッチＳＷ１は、オン、スイッチＳＷ２は、オフであり、再生モードにおいて、スイッチＳＷ１は、オフ、スイッチＳＷ２は、オンとなるように、ＣＰＵ３０又はＣＰＵコア４２により制御されている。又、このスイッチ素子は、それぞれ、ＵＳＢ−ＡＴＡブリッジ５５とＰＸＭＣＩＡコントローラ５４とに内蔵されているものであっても可能である。
更に、再生モードにおいて、ＣＰＵコア４２は、ＰＣＭＣＩＡコントローラ５４を介して、ＰＣＭＣＩＡ信号、すなわち、ＰＣカード信号ｂとして、スイッチ素子ＳＷ２を経由してモバイルディスク４に接続され、モバイルディスク４に記録されている音声ファイル等を読み出すものである。再生モードにおいては、上述したように、スイッチＳＷ１は、オフ、スイッチＳＷ２は、オンとなるべくＣＰＵ３０又はＣＰＵコア４２により制御されている。
【００３２】
以上に述べたように、本発明に係る再生装置においては、記録モードにおいては、ＵＳＢ２．０の通信速度を生かすべく、ＵＳＢ−ＡＴＡブリッジ５５を用いてＵＳＢ規格をＡＴＡ通信規格に変換し、ＰＣ２等からの音声ファイル等のコンテンツ情報を、ＣＰＵ３０等の通信制御を介することなく、直接、ＰＣカード型ＨＤＤであるモバイルディスク４へ記録することが可能となる。この時の通信速度は、一例として、約８Ｍバイト／ｓ程の値となり、ＰＣＭＣＩＡ規格によりＣＰＵ３０等の通信制御の元で記録する場合の、約０．５Ｍバイト／ｓと比較すると約１６倍もの高速度で記録処理を行うことが可能となる。これにより、ＰＣカード型ＨＤＤ４をＰＣ２に直接接続して書き込む場合と書き込み速度は遜色はなく、再生装置に通信ケーブルを介して音声ファイルを記録することが非常に迅速に可能となる。
【００３３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００３４】
例えば、通信規格については、ＵＳＢ通信規格、ＡＴＡ通信規格、ＰＣＭＣＩＡ規格を例として説明したが、本発明はこれに限定されるものではなく、他の通信規格においても、同等の作用効果を有するものである。
【００３５】
【発明の効果】
以上詳述したように本発明によれば、着脱可能な外部記憶装置であっても、再生モードの場合と記録モードの場合とでインタフェースを異ならせて、パーソナルコンピュータから直接、ＵＳＢ通信規格及びＡＴＡ通信規格等により音声ファイル等を記録することにより、再生装置に装着した外部記憶装置への高速な書き込みが可能となる再生装置を提供することができる。
【図面の簡単な説明】
【図１】本発明に係る再生装置の一実施の形態を示すブロック図。
【図２】本発明に係る再生装置の一実施の形態の概観を示す概観図。
【図３】本発明に係る再生装置と周辺装置との信号経路の一例を概観する説明図。
【図４】本発明に係る再生装置と周辺装置との接続を示す説明図。
【図５】本発明に係る再生装置のスイッチの動作の一例を示すタイミングチャート。
【符号の説明】
２…パーソナルコンピュータ、４…ストレージデバイス、６…プレーヤ、８…イヤホン、１１…スロット挿入口蓋（収納部）、１２…液晶表示部、１４…十字キー、１６…エンターキー、１８…メニューキー、２０…ナビキー、４８…ＰＣＭＣＩＡスロット、４９…ＵＳＢ端子、ＳＷ１，ＳＷ２…スイッチ素子。
【図１】
0003711099.tif 000002
【図２】
0003711099.tif 000003
【図３】
0003711099.tif 000004
【図４】
0003711099.tif 000005
【図５】
0003711099.tif 000006